(57)【特許請求の範囲】
【請求項１】
両端に引出し端子をそれぞれ有する第１の帯状導体と、帯状誘電体と、一端に引出し端子を有する第２の帯状導体と、帯状絶縁体とを順に積層したものを中空に巻いたＬＣフィルタ本体と、
このＬＣフィルタ本体の中空部を貫通するように配置して磁気回路を形成する磁性体とからなり、
前記第１の帯状導体の引出し端子間には電力または電気信号の主電流を流し、前記第２の帯状導体の引出し端子には該主電流に含まれるノイズ電流を流すようにしたＬＣフィルタを複数（ｎ）組備え、
第ｋ（ｋ＝１から（ｎ−１）まで）組目のＬＣフィルタの第２の帯状導体の引出し端子と、第（ｋ＋１）組目のＬＣフィルタの第１の帯状導体の一方の引出し端子とを接続し、
第ｎ組目のＬＣフィルタの第２の帯状導体の引出し端子と、第１組目のＬＣフィルタの第１の帯状導体の一方の引出し端子とを接続したことを特徴とするＬＣフィルタ複合体。
【請求項２】
両端に引出し端子をそれぞれ有する第１の帯状導体と、帯状誘電体と、一端に引出し端子を有する第２の帯状導体と、帯状絶縁体とを順に積層したものを中空に巻いたＬＣフィルタ本体複数組と、
このＬＣフィルタ本体それぞれの中空部を貫通するように配置して磁気回路を形成する磁性体とを備え、
前記それぞれの第１の帯状導体の引出し端子間には電力または電気信号の主電流を流し、前記それぞれの第２の帯状導体の引出し端子には該主電流に含まれるノイズ電流を流すようにしたことを特徴とするＬＣフィルタ複合体。
【請求項３】
両端に引出し端子をそれぞれ有する第１の帯状導体と、帯状誘電体と、一端に引出し端子を有する第２の帯状導体と、帯状絶縁体とを順に積層したものを中空に巻いたＬＣフィルタ本体複数組と、このＬＣフィルタ本体それぞれの中空部を貫通するように配置して磁気回路を形成する磁性体とからなり、
前記それぞれの第１の帯状導体の両端の引出し端子間には電力または電気信号の主電流を流し、前記それぞれの第２の帯状導体の引出し端子には該主電流に含まれるノイズ電流を流すようにし、
それぞれの第２の帯状導体の引出し端子を並列に接続したことを特徴とするＬＣフィルタ複合体。
【請求項４】
両端に引出し端子をそれぞれ有する第１の帯状導体と、帯状誘電体と、一端に引出し端子を有する第２の帯状導体と、帯状絶縁体とを順に積層したものを中空に巻いたＬＣフィルタ本体複数（ｎ）組と、
このＬＣフィルタ本体それぞれの中空部を貫通するように配置して磁気回路を形成する磁性体とからなり、
前記それぞれの第１の帯状導体の両端の引出し端子間には電力または電気信号の主電流を流し、前記それぞれの第２の帯状導体の引出し端子には該主電流に含まれるノイズ電流を流すようにし、
第ｋ（ｋ＝１から（ｎ−１）まで）組目のＬＣフィルタ本体の第２の帯状導体の引出し端子と、第（ｋ＋１）組目のＬＣフィルタ本体の第１の帯状導体の一方の引出し端子とを接続し、
第ｎ組目のＬＣフィルタ本体の第２の帯状導体の引出し端子と、第１組目のＬＣフィルタ本体の第１の帯状導体の一方の引出し端子とを接続したことを特徴とするＬＣフィルタ複合体。
【発明の詳細な説明】
【０００１】
【発明の属する技術分野】
この発明は、電力または電気信号を伝達する線路に挿設され、電力または電気信号に含まれる高周波ノイズを除去するＬＣフィルタとその複合体に関する。
【０００２】
【従来の技術】
従来のこの種のＬＣフィルタにおいては、個別に製作されたリアクトルとコンデンサとを接続することにより形成されたものが知られている。
図９は、ＬＣフィルタの第１の従来例を示す回路構成図であり、リアクトルＬ１の一端を端子Ｔ１３とし、リアクトルＬ１の他端とコンデンサＣ１の一端とを接続して端子Ｔ１４とし、コンデンサＣ１の他端を端子Ｔ１５とするＬＣフィルタを示し、端子Ｔ１３と端子Ｔ１４との間には電力または電気信号の主電流を流し、端子Ｔ１５には該主電流に含まれるノイズ電流を流すようにしている。
【０００３】
図１０は、ＬＣフィルタの第２の従来例を示す回路構成図であり、リアクトルＬ１の一端を端子Ｔ１３とし、リアクトルＬ１の他端とコンデンサＣ１の一端とを接続して端子Ｔ１４とし、リアクトルＬ２の一端を端子Ｔ１６とし、リアクトルＬ２の他端とコンデンサＣ２の一端とを接続して端子Ｔ１７とし、リアクトルＬ３の一端を端子Ｔ１９とし、リアクトルＬ３の他端とコンデンサＣ３の一端とを接続して端子Ｔ２０とし、コンデンサＣ１，Ｃ２，Ｃ３それぞれの他端を並列に接続して端子Ｔ２２としたＬＣフィルタを示し、端子Ｔ１３と端子Ｔ１４との間，端子Ｔ１６と端子Ｔ１７との間，端子Ｔ１９と端子Ｔ２０との間それぞれには電力または電気信号の主電流を流し、端子Ｔ２２には該主電流に含まれるノイズ電流を流すように構成した、いわゆる３相スター結線のＬＣフィルタ複合体である。
【０００４】
図１１は、ＬＣフィルタの第３の従来例を示す回路構成図であり、リアクトルＬ１の一端を端子Ｔ１３とし、リアクトルＬ１の他端とコンデンサＣ１の一端とを接続して端子Ｔ１４とし、リアクトルＬ２の一端を端子Ｔ１６とし、リアクトルＬ２の他端とコンデンサＣ２の一端とを接続して端子Ｔ１７とし、リアクトルＬ３の一端を端子Ｔ１９とし、リアクトルＬ３の他端とコンデンサＣ３の一端とを接続して端子Ｔ２０とし、コンデンサＣ１の他端を端子Ｔ１５とし、コンデンサＣ２の他端を端子Ｔ１８とし、コンデンサＣ３の他端を端子Ｔ２１とし、端子１５と端子１６とを接続し、端子１８と端子１９とを接続し  端子２１と端子１３とを接続した構成のいわゆる３相デルタ結線のＬＣフィルタ複合体である。
【０００５】
【発明が解決しようとする課題】
図９〜図１１に示したＬＣフィルタとその複合体においては、構成するリアクトルとコンデンサとはそれぞれ個別に製作されているため、下記▲１▼〜▲３▼に示すような問題点があった。
▲１▼．結果として、ＬＣフィルタの外形、体積が大きくなる。
【０００６】
▲２▼．リアクトル、コンデンサそれぞれを個別に固定するための取り付け板など
が必要である。
▲３▼．個別に製作したリアクトルとコンデンサとを組み込むために、組み立て工
数が増加する。
この発明の目的は、上記を解決するＬＣフィルタを提供することにある。
【０００７】
【課題を解決するための手段】この第１の発明は、両端に引出し端子をそれぞ
れ有する第１の帯状導体と、帯状誘電体と、一端に引出し端子を有する第２の帯状導体と、帯状絶縁体とを順に積層したものを中空に巻いたＬＣフィルタ本体と、このＬＣフィルタ本体の中空部を貫通するように配置して磁気回路を形成する磁性体とからなり、前記第１の帯状導体の引出し端子間には電力または電気信号の主電流を流し、前記第２の帯状導体の引出し端子には該主電流に含まれるノイズ電流を流すようにしたＬＣフィルタを複数（ｎ）組備え、第ｋ（ｋ＝１から（ｎ−１）まで）組目のＬＣフィルタの第２の帯状導体の引出し端子と、第（ｋ＋１）組目のＬＣフィルタの第１の帯状導体の一方の引出し端子とを接続し、第ｎ組目のＬＣフィルタの第２の帯状導体の引出し端子と、第１組目のＬＣフィルタの第１の帯状導体の一方の引出し端子とを接続した構成のＬＣフィルタ複合体にする。
【０００８】
第２の発明は、両端に引出し端子をそれぞれ有する第１の帯状導体と、帯状誘電体と、一端に引出し端子を有する第２の帯状導体と、帯状絶縁体とを順に積層したものを中空に巻いたＬＣフィルタ本体複数組と、このＬＣフィルタ本体それぞれの中空部を貫通するように配置して磁気回路を形成する磁性体とを備え、前記それぞれの第１の帯状導体の引出し端子間には電力または電気信号の主電流を流し、前記それぞれの第２の帯状導体の引出し端子には該主電流に含まれるノイズ電流を流すようにした構成のＬＣフィルタ複合体にする。
【０００９】
第３の発明は、両端に引出し端子をそれぞれ有する第１の帯状導体と、帯状誘電体と、一端に引出し端子を有する第２の帯状導体と、帯状絶縁体とを順に積層したものを中空に巻いたＬＣフィルタ本体複数組と、このＬＣフィルタ本体それぞれの中空部を貫通するように配置して磁気回路を形成する磁性体とからなり、前記それぞれの第１の帯状導体の両端の引出し端子間には電力または電気信号の主電流を流し、前記それぞれの第２の帯状導体の引出し端子には該主電流に含まれるノイズ電流を流すようにし、それぞれの第２の帯状導体の引出し端子を並列に接続した構成のＬＣフィルタ複合体にする。
【００１０】
さらに第４の発明は、両端に引出し端子をそれぞれ有する第１の帯状導体と、帯状誘電体と、一端に引出し端子を有する第２の帯状導体と、帯状絶縁体とを順に積層したものを中空に巻いたＬＣフィルタ本体複数（ｎ）組と、このＬＣフィルタ本体それぞれの中空部を貫通するように配置して磁気回路を形成する磁性体とからなり、前記それぞれの第１の帯状導体の両端の引出し端子間には電力または電気信号の主電流を流し、前記それぞれの第２の帯状導体の引出し端子には該主電流に含まれるノイズ電流を流すようにし、第ｋ（ｋ＝１から（ｎ−１）まで）組目のＬＣフィルタ本体の第２の帯状導体の引出し端子と、第（ｋ＋１）組目のＬＣフィルタ本体の第１の帯状導体の一方の引出し端子とを接続し、
第ｎ組目のＬＣフィルタ本体の第２の帯状導体の引出し端子と、第１組目のＬＣフィルタ本体の第１の帯状導体の一方の引出し端子とを接続した構成のＬＣフィルタ複合体にする。
【００１１】
この発明によれば前記ＬＣフィルタ本体の中空部を貫通するように磁性体を配置することにより、前記第１，第２の帯状導体それぞれはリアクトルを形成し、さらに該第１，第２の帯状導体間に配置した帯状誘電体により、それぞれの帯状導体を電極としたコンデンサが形成され、この等価回路はＬＣフィルタになる。
【００１４】
【発明の実施の形態】図１は、この発明の第１〜第4の発明の実施例を説明するためのＬＣフィルタ単体の模式的概念図であり、図１（イ）は外形図、図１（ロ）はそのＡ−Ａ部の断面図をそれぞれ示す。図１において、１はＬＣフィルタ本体、２は磁性体、Ｔ１，Ｔ２，Ｔ３はＬＣフィルタ本体１から引き出された端子を示す。
【００１５】
また図２は、図１に示したＬＣフィルタ本体１の中空に巻く前の段階での模式的概念図を示す。
図２において、１１は第１の帯状導体としての帯状導体、１２は帯状誘電体、１３は第２の帯状導体としての帯状導体、１４は帯状絶縁体それぞれを示し、図示の如く、帯状導体１１と帯状誘電体１２と帯状導体１３と帯状絶縁体１４とを順に積層した形状を有し、帯状導体１１の両端には引出し端子Ｔ１とＴ２とを備え、帯状導体１３の一端には引出し端子Ｔ３を備えている。
【００１６】
図３は、図１に示したＬＣフィルタの等価回路を示し、ＬＣフィルタ本体１の中空部を貫通するように磁性体２を配置することにより、帯状導体１１，１３それぞれはリアクトルを形成し、さらに帯状導体１１と帯状導体１３との間に配置した帯状誘電体１２により、帯状導体１１，１３それぞれを電極とした図示の破線の如きコンデンサを形成している。
【００１７】
なお、図２において、端子Ｔ１と端子Ｔ２との間には電力または電気信号の主電流を流し、端子Ｔ３には該主電流に含まれるノイズ電流を流すことから、図示の如く、帯状導体１１の断面の厚さを、帯状導体１３の断面の厚さに比して大きく設定してもよい。図４は、この発明の第１〜第4の実施例を説明するためのＬＣフィルタ複合体の回路構成図であり、図１に示したＬＣフィルタ３組のそれぞれの端子Ｔ３を並列に接続した、いわゆる３相スター結線のＬＣフィルタ複合体を形成している。
【００１８】
図５は、この発明の第１の実施例を示すＬＣフィルタ複合体の回路構成図であり、図１に示したＬＣフィルタを３組備え、端子Ｔ３U とＴ１V とを接続し、端子Ｔ３V とＴ１W とを接続し、端子Ｔ３W とＴ１U とを接続した、いわゆる３相デルタ結線のＬＣフィルタ複合体を形成している。なお図４〜図５に示した実施例においては、ＬＣフィルタ３組からなるＬＣフィルタ複合体について説明をしたが、例えば、ＬＣフィルタ２組からなるＬＣフィルタ複合体についても適用できる。
【００１９】
図６は、この発明の第２の実施例を示すＬＣフィルタ複合体の模式的概念図であり、図６（イ）は外形図、図６（ロ）は図６（イ）のＡ−Ａ部の断面図をそれぞれ示す。図６において、３１〜３３はＬＣフィルタ本体、３４は磁性体、Ｔ４〜Ｔ６はＬＣフィルタ本体３１から引き出された端子、Ｔ７〜Ｔ９はＬＣフィルタ本体３２から引き出された端子、Ｔ１０〜Ｔ１２はＬＣフィルタ本体３３から引き出された端子をそれぞれ示す。
【００２０】
図６に示したＬＣフィルタ本体３１〜３３それぞれは、図２に示したＬＣフィルタ本体１の模式的概念図と同様構成にしている。図７は、この発明の第３の実施例を示すＬＣフィルタ複合体の回路構成図であり、図６に示したＬＣフィルタ複合体の端子Ｔ６と端子Ｔ９と端子Ｔ１２とを並列に接続した、いわゆる３相スター結線のＬＣフィルタ複合体を形成している。
【００２１】
図８は、この発明の第４の実施例を示すＬＣフィルタ複合体の回路構成図であり、図６に示したＬＣフィルタ複合体の端子Ｔ６と端子Ｔ７とを接続し、端子Ｔ９と端子Ｔ１０を接続し、端子Ｔ１２と端子Ｔ４とを接続した構成のいわゆる３相デルタ結線のＬＣフィルタ複合体を形成している。なお図６〜図８に示した実施例においては、ＬＣフィルタ本体３組と１個の磁性体か
らなるＬＣフィルタ複合体について説明をしたが、例えば、ＬＣフィルタ本体２組と１個の磁性体からなるＬＣフィルタ複合体についても適用できる。
【００２２】
【発明の効果】
この発明によれば、ＬＣフィルタまたはＬＣフィルタ複合体を構成する際に、従来はリアクトルとコンデンサとを個別に製作したもので行っていたが、１度の製作工程でＬＣフィルタまたはＬＣフィルタ複合体を製作でき、その引出し端子の接続で結線方法が変更できるので、このＬＣフィルタまたはＬＣフィルタ複合体の小型軽量化および製作時間の削減による量産効果とコストダウンが計れる。
【００２３】
特に近年、放射ノイズに対する種々の法的規制が敷かれた半導体電力変換回路のノイズフィルタとして好適である。
【図面の簡単な説明】
【図１】この発明の第１〜第4の実施例を説明するためのＬＣフィルタ単体の模式的概念図
【図２】図１の部分を示す模式的概念図
【図３】図１の等価回図
【図４】この発明の第１〜第4の実施例を説明するためのＬＣフィルタ複合体の回路構成図
【図５】この発明の第１の実施例を示すＬＣフィルタ複合体の回路構成図
【図６】この発明の第２の実施例を示すＬＣフィルタ複合体の模式的概念図
【図７】この発明の第３の実施例を示すＬＣフィルタ複合体の回路構成図
【図８】この発明の第４の実施例を示すＬＣフィルタ複合体の回路構成図
【図９】従来例を示すＬＣフィルタの回路構成図
【図１０】従来例を示すＬＣフィルタの回路構成図
【図１１】従来例を示すＬＣフィルタの回路構成図
【図１】
0003540938.tif 000002
【図２】
0003540938.tif 000003
【図３】
0003540938.tif 000004
【図４】
0003540938.tif 000005
【図５】
0003540938.tif 000006
【図６】
0003540938.tif 000007
【図７】
0003540938.tif 000008
【図８】
0003540938.tif 000009
【図９】
0003540938.tif 000010
【図１０】
0003540938.tif 000011
【図１１】
0003540938.tif 000012